(57)【要約】      （修正有）【課題】バーナから噴出する混合気を燃焼させる燃焼室と、燃焼室での燃焼で生じた燃焼ガスが流れる燃焼ガス経路と、燃焼ガス経路に配置された熱交換器と、燃焼に必要な空気を強制的に供給する燃焼ファンとを備える強制給気式燃焼装置であって、下流端が熱交換器の下流側の燃焼ガス経路の部分に接続された、燃焼室を迂回して空気が流れる空気路を備えるものにおいて、熱交換器のフィン閉塞の発生を検知できるようにする。【解決手段】空気路１１に燃焼室５の一部を連通させるバイパス孔１２と、バイパス孔１２の下流側の空気路１１の部分に設けられた温度検知手段１３とを備える。そして、温度検知手段１３の検知温度に基づいて熱交換器のフィン閉塞の有無を判別する。【選択図】図１
2020020509.tif 000002
【特許請求の範囲】
【請求項１】
バーナと、バーナから噴出する混合気を燃焼させる燃焼室と、燃焼室での燃焼で生じた燃焼ガスが流れる燃焼ガス経路と、燃焼ガス経路に配置された熱交換器と、燃焼に必要な空気を強制的に供給する燃焼ファンとを備える強制給気式燃焼装置であって、下流端が熱交換器の下流側の燃焼ガス経路の部分に接続された、燃焼室を迂回して空気が流れる空気路を備えるものにおいて、
空気路に燃焼室の一部を連通させるバイパス孔と、バイパス孔の下流側の空気路の部分に設けられた温度検知手段とを備え、温度検知手段の検知温度に基づいて熱交換器のフィン閉塞の有無を判別することを特徴とする燃焼装置。
【発明の詳細な説明】
【技術分野】
【０００１】
本発明は、バーナと、バーナから噴出する混合気を燃焼させる燃焼室と、燃焼室での燃焼で生じた燃焼ガスが流れる燃焼ガス経路と、燃焼ガス経路に配置された熱交換器と、燃焼に必要な空気を強制的に供給する燃焼ファンとを備える強制給気式燃焼装置に関する。
【背景技術】
【０００２】
従来、この種の燃焼装置として、下流端が熱交換器の下流側の燃焼ガス経路の部分に接続された、燃焼室を迂回して空気が流れる空気路とを備えるものが知られている（例えば、特許文献１参照）。このものでは、熱交換器の下流側に空気路を介して流れる空気により燃焼ガスが希釈されて湿度が低下し、排気筒内での結露を抑制できる。
【０００３】
ところで、上記空気路を具備しない一般的な強制給気式燃焼装置では、熱交換器のフィン閉塞を生ずると、燃焼ファンによる送風量が減少し、燃焼ファンの仕事量の減少でファンモータの電流（ファン電流）が減少する。そこで、従来、ファン電流に基づいてフィン閉塞の有無を判別するものが知られている。
【０００４】
然し、上記空気路を具備する強制給気式燃焼装置では、フィン閉塞を生じても、空気路を流れる空気量が増加するため、燃焼ファンによる送風量は左程減少せず、ファン電流ではフィン閉塞の発生を検知できなくなる。
【先行技術文献】
【特許文献】
【０００５】
【特許文献１】特開２００４−１３８３２６号公報
【発明の概要】
【発明が解決しようとする課題】
【０００６】
本発明は、以上の点に鑑み、空気路を具備する強制給気式燃焼装置であって、熱交換器のフィン閉塞の発生を検知できるようにしたものを提供することをその課題としている。
【課題を解決するための手段】
【０００７】
上記課題を解決するために、本発明は、バーナと、バーナから噴出する混合気を燃焼させる燃焼室と、燃焼室での燃焼で生じた燃焼ガスが流れる燃焼ガス経路と、燃焼ガス経路に配置された熱交換器と、燃焼に必要な空気を強制的に供給する燃焼ファンとを備える強制給気式燃焼装置であって、下流端が熱交換器の下流側の燃焼ガス経路の部分に接続された、燃焼室を迂回して空気が流れる空気路を備えるものにおいて、空気路に燃焼室の一部を連通させるバイパス孔と、バイパス孔の下流側の空気路の部分に設けられた温度検知手段とを備え、温度検知手段の検知温度に基づいて熱交換器のフィン閉塞の有無を判別することを特徴とする。
【０００８】
本発明によれば、熱交換器のフィン閉塞を生ずると、熱交換器での通気抵抗が増加するため、燃焼ガスの一部がバイパス孔を介して空気路に流れる。そのため、バイパス孔の下流側の空気路の部分に設けられた温度検知手段の検知温度が上昇し、これによりフィン閉塞の発生を検知できる。
【図面の簡単な説明】
【０００９】
【図１】本発明の実施形態の強制給気式燃焼装置の切断側面図。
【図２】実施形態の強制給気式燃焼装置の背面図。
【図３】実施形態の強制給気式燃焼装置で行うフィン閉塞の判別処理を示すフロー図。
【発明を実施するための形態】
【００１０】
図１及び図２を参照して、本発明の実施形態の強制給気式燃焼装置は、下側の第１筐体１１と、第１筐体１１の上の第２筐体１２と、第２筐体１２の上の第３筐体１３と、第３筐体１３から上方にのびる筒体２と、筒体２の上端に設けられた、モータ３ａで駆動される燃焼ファン３とを備えている。
【００１１】
第１筐体１１内には、前後方向（図１の左右方向）に長手のバーナ４が横方向（図１の紙面直交方向）に並べて複数並設されている。そして、第１筐体１１のバーナ４より上方の内部空間でバーナ４から噴出する混合気を燃焼させる燃焼室５が構成され、燃焼室５での燃焼で生じた燃焼ガスが流れる燃焼ガス経路６が第２筐体１２の内部空間、第３筐体１３の内部空間及び筒体２の内部空間で構成される。
【００１２】
第１筐体１１の下面は開放されている。そして、燃焼ファン３による吸引力で、各バーナ４に一次空気が強制的に供給されると共に、第１筐体１１内のバーナ４下側に配置した分布板７に形成した多数の分布孔７ａを介して燃焼室５に二次空気が強制的に供給されるようにしている。また、第１筐体１１の前面下部にはガスマニホールド８が配置され、各バーナ４にガスマニホールド８に設けた各ノズルから燃料ガスが供給される。尚、バーナ４は濃淡バーナであり、ガスマニホールド８に、各バーナ４に対応して淡ノズル８ａと濃ノズル８ｂとが設けられている。
【００１３】
燃焼ガス経路６には、第２筐体１２内に位置させて、給湯用その他の熱交換器９が配置されている。この熱交換器９は、横方向に多数積層した吸熱フィン９ａと、これら吸熱フィン９ａを貫通する吸熱パイプ９ｂとで構成されるフィンアンドチューブ型の熱交換器で構成されている。
【００１４】
また、第１と第２の両筐体１１の背面板１１ａ，１２ａに隙間を存して対向する背面カバー１０を設けて、これら背面板１１ａ，１２ａと背面カバー１０との間に、燃焼室５を迂回して空気が流れる空気路１１を画成している。空気路１１の下端、即ち、上流端は開放されており、上端、即ち、下流端は、熱交換器９の下流側の燃焼ガス経路６の部分である第３筐体１３の内部空間に接続されている。これによれば、燃焼ファン３による吸引力で空気路１１を介して第３筐体１３の内部空間に空気が流入する。そして、熱交換器９を通過した後の燃焼ガスが空気で希釈されて湿度が低下し、燃焼ファン３の下流側の図示省略した排気筒内での結露を抑制することができる。
【００１５】
ところで、燃焼装置をある程度使用すると、熱交換器９の吸熱フィン９ａ間の詰まり、即ち、フィン閉塞を生ずることがある。そこで、フィン閉塞の有無を判別できるように、本実施形態では、第１筐体１１の背面板１１ａのバーナ４より上方部分に、燃焼室５の一部を空気路１１に連通するバイパス孔１２を形成すると共に、バイパス孔１２の下流側の空気路１１の部分に、サーミスタから成る温度検知手段１３を設けている。
【００１６】
熱交換器９のフィン閉塞を生ずると、熱交換器９での通気抵抗が増加するため、熱交換器９の上流側に位置する燃焼室５内の燃焼ガスの一部がバイパス孔１２から空気路１１に流れ、温度検知手段１３の検知温度が上昇する。そこで、本実施形態では、図示省略したコントローラにより、バーナ４の燃焼時に図３に示すフィン閉塞の判別処理を行うようにした。この判別処理では、先ず、ＳＴＥＰ１で温度検知手段１３の検知温度ＴＨを読み込み、次に、ＳＴＥＰ２に進み、検知温度ＴＨが所定の閾値ＹＴＨ以上になったか否かを判別する。そして、ＴＨ＜ＹＴＨであれば、ＳＴＥＰ１に戻るが、ＴＨ≧ＹＴＨになったときは、フィン閉塞が発生したと判断し、ＳＴＥＰ３に進んで異常表示を行うと共にバーナ６を消火する。
【００１７】
以上、本発明の実施形態について図面を参照して説明したが、本発明はこれに限定されない。例えば、上記実施形態では、燃焼ガス経路６の下流側に燃焼ファン３を設けて、燃焼に必要な空気を吸込み方式で供給するようにしたが、燃焼室５の上流側に燃焼ファンを設けて、燃焼に必要な空気を押し込み方式で供給するようにしてもよい。この場合、空気路１１の上流端に燃焼ファンからの空気の一部が押し込まれるようにする。
【００１８】
また、上記実施形態では、第１と第２の両筐体１１，１２の背面側に空気路１１を設けているが、両筐体１１，１２の前面側や側面側に空気路を設けることも可能である。
【符号の説明】
【００１９】
３…燃焼ファン、４…バーナ、５…燃焼室、６…燃焼ガス経路、１１…空気路、１２…バイパス路、１３…温度検知手段。
【図１】
2020020509.tif 000003
【図２】
2020020509.tif 000004
【図３】
2020020509.tif 000005